(57)【要約】【課題】  陳列作業が容易にでき且つ販売促進表示の付け忘れや付け違いを防止できる商品模型及びその商品模型を陳列した自動販売機を提供する。【解決手段】本考案の商品模型１は、自動販売機３に装着されて商品を表示する商品模型１であって、商品模造部５と、販売促進表示部７とを一体に設けてあり、商品模造部５は商品の略半分を模っており且つ販売促進表示部７と同じ材質の樹脂製であり、金型で一体成形されている。【選択図】図１
0003103577.tif 000002
【実用新案登録請求の範囲】
【請求項１】
自動販売機に装着されて商品を表示する商品模型であって、商品模造部と、販売促進表示部とを一体に設けてあることを特徴とする商品模型。
【請求項２】
商品模造部は商品の略半分を模っており且つ販売促進表示部と同じ材質の樹脂製であり、金型で一体成形されていることを特徴とする請求項１に記載の商品模型。
【請求項３】
販売促進表示部は立体形状を成していることを特徴とする請求項２に記載の商品模型。
【請求項４】
販売促進表示部は凹凸により画像を立体化していることを特徴とする請求項３に記載の商品模型。
【請求項５】
商品模造部は飲料用ボトル又は缶の模造であり、販売促進表示部は商品模造部の上部に設けており、瓶又は缶の封を開けた状態を模っていることを特徴とする請求項５に記載の商品模型。
【請求項６】
販売促進表示部の画像には商品模造部から上方に向けた多数の直線を描いていることを特徴とする請求項５に記載の商品模型。
【請求項７】
商品模造部の上端部に画像が描かれており、販売促進表示部の画像は、商品模造部の上端部の画像に連続した画像を形成していることを特徴とする請求項６に記載の商品模型。
【請求項８】
商品模造部は炭酸飲料を充填したボトルのキャップを外した状態を模っており、販売促進用表示部はボトルから外したキャップと噴出した炭酸の画像を描いていることを特徴とする請求項７に記載の商品模型。
【請求項９】
商品模造部には左右と下部とにそれぞれ陳列用の係止部を備えることを特徴とする請求項８に記載の商品模型。
【請求項１０】
請求項１〜９に記載の商品模型を陳列していることを特徴とする自動販売機。
【考案の詳細な説明】
【技術分野】
【０００１】
本考案は、自動販売機に陳列する商品模型及びその商品模型を陳列した自動販売機に関する。
【背景技術】
【０００２】
特許文献１には、自動販売機に飲料等の商品模型を陳列することが開示されている。また、特許文献２には、商品の略半分を模って立体形状を成す樹脂製の商品模型が開示されている。
【０００３】
一方、商品の販売を促進するために商品模型とともにその商品模型に販売促進用の表示を施すことがある。従来、かかる販売促進表示は商品模型とは別に自動販売機の陳列棚に取り付けていた。
【０００４】
【特許文献１】実開平１−１０２９７６号公報
【特許文献２】特開２００１−２８３３１０号公報
【考案の開示】
【考案が解決しようとする課題】
【０００５】
しかし、販売促進表示は、他の商品とは差別して特定の商品模型に取り付けて表示するものであるが、従来は販売促進表示を商品模型とは別に設けていたので、それぞれ別に取り付けが必要になり陳列作業に手間がかかるという問題がある。
【０００６】
また、販売促進表示は特定の商品模型について表示をしなければならないが、表示する商品模型を間違えたり、販売促進表示の付け忘れが生じることがある。
【０００７】
本考案は、陳列作業が容易にでき且つ販売促進表示の付け忘れや付け違いを防止できる商品模型及びその商品模型を陳列した自動販売機の提供を目的とする。
【課題を解決するための手段】
【０００８】
前記課題を解決するために、請求項１に記載された考案は、自動販売機に装着されて商品を表示する商品模型であって、商品模造部と、販売促進表示部とを一体に設けてあることを特徴とする。
【０００９】
請求項２に記載された考案は、請求項１に記載の考案において、商品模造部は商品の略半分を模っており且つ販売促進表示部と同じ材質の樹脂製であり、金型で一体成形されていることを特徴とする。
【００１０】
請求項３に記載された考案は、請求項２に記載の考案において、販売促進表示部は立体形状を成していることを特徴とする。
【００１１】
請求項４に記載された考案は、請求項３に記載の考案において、販売促進表示部は凹凸により画像を立体化していることを特徴とする。
【００１２】
請求項５に記載された考案は、請求項４に記載の考案において、商品模造部は飲料用ボトル又は缶の模造であり、販売促進表示部は商品模造部の上部に設けており、瓶又は缶の封を開けた状態を模っていることを特徴とする。
【００１３】
請求項６に記載された考案は、請求項５に記載の考案において、販売促進表示部の画像には商品模造部から上方に向けた多数の直線を描いていることを特徴とする。
【００１４】
請求項７に記載された考案は、請求項６に記載の考案において、商品模造部の上端部に画像が描かれており、販売促進表示部の画像は、商品模造部の上端部の画像に連続した画像を形成していることを特徴とする。
【００１５】
請求項８に記載された考案は、請求項７に記載の考案において、商品模造部は炭酸飲料を充填したボトルのキャップを外した状態を模っており、販売促進用表示部はボトルから外したキャップと噴出した炭酸の画像を描いていることを特徴とする。
【００１６】
請求項９に記載された考案は、請求項８に記載の考案において、商品模造部には左右と下部とにそれぞれ陳列用の係止部を備えることを特徴とする。
【００１７】
請求項１０に記載された考案は、請求項１〜９に記載の商品模型を陳列していることを特徴とする自動販売機である。
【考案の効果】
【００１８】
請求項１に記載の考案によれば、商品模型には商品模造部と販売促進表示部とを一体に設けているので、特定商品に対する販売促進表示部の付け忘れや、誤って他の商品模型に付け違えることを防止できる。
【００１９】
また、商品模造部と販売促進表示部とが一体なので、それぞれ別々に取り付ける必要がなく、２つのものを一回で取り付けできるので、陳列作業が容易にできる。
【００２０】
請求項２に記載された考案によれば、請求項１に記載された考案と同様の効果が得られるとともに、商品模型は金型による一体成形で容易に製造できる。
【００２１】
請求項３に記載された考案によれば、請求項２に記載された考案と同様の効果が得られるとともに、販売促進表示部を立体形状としているので、従来の平面的な表示に比較して人目を引きやすく、且つ立体的な商品模造部との釣り合いが取れて外観が良い。
【００２２】
請求項４に記載された考案によれば、請求項３に記載された考案と同様の効果が得られるとともに、販売促進表示部は表示画像も立体にしているので、その意外性から人目を引きやすい。
【００２３】
請求項５に記載された考案によれば、請求項４に記載された考案と同様の効果が得られるとともに、販売促進表示部は商品模造部と連続した一体のデザインを形成しているので、調和の取れたデザインを構成することができる。
【００２４】
請求項６に記載された考案によれば、請求項５に記載された考案と同様の効果が得られるとともに、商品模造部から上方に向けた多数の直線を描くことにより商品模造部と販売促進表示部との立体形状におけるバランスが取れ、外観を高めることができる。
【００２５】
請求項７に記載された考案によれば、請求項６に記載された考案と同様の効果が得られるとともに、商品模型を上から見たときにも商品模造部と販売促進表示部との一体性を得ることができる。
【００２６】
請求項８に記載された考案によれば、請求項７に記載された考案と同様の効果が得られるとともに、商品模造部と販売促進表示部との画像における一体性が高く且つ消費者に対する意外性を更に高めることができる。
【００２７】
請求項９に記載された考案によれば、請求項８に記載された考案と同様の効果が得られるとともに、左右における取り付けや下部での取り付けが自在にでき、取り付けの自由度を高めることができる。
【００２８】
請求項１０に記載された考案によれば、請求項１〜９に記載された考案と同様の効果が得られる自動販売機を提供できる。
【考案を実施するための最良の形態】
【００２９】
以下に、添付図面を参照して、本考案の実施の形態を詳細に説明する。図１は本実施の形態に係る商品模型の斜視図であり、図２は図１に示す商品模型の正面図であり、図３は図１に示す商品模型の側面図であり、図４は図１に示す商品模型の縦断面図であり、図５は図１に示す商品模型を陳列した自動販売機の正面図である。
【００３０】
本考案の実施の形態に商品模型１は飲料の商品見本として自動販売機３に陳列されるものであり、商品模造部５と販売促進表示部７とから構成されている。これらの商品模造部５と販売促進表示部７とは樹脂材製であり、金型により一体成形されている。
【００３１】
商品模造部５には、炭酸飲料入りアルミ製ボトルを模ったものであり、アルミ製ボトルの略半分を立体に模っており、キャップ９を外した画像が描かれている。
【００３２】
商品模造部５の左右には自動販売機の商品陳列棚１１に係止する鉤状の係止部１３が一体形成されているとともに、下部にも商品陳列棚１１に嵌合可能な係止部１５が形成されており、自動販売機のタイプに応じて、左右で係止したり下部で係止して取り付けできるようになっている。
【００３３】
また、商品模造部５の上端部５ａには販売促進表示部７と連続した画像１７が描かれている。
【００３４】
販売促進表示部７は、商品模造部５の上部に設けてあり且つ商品模造部５と一体に形成されている。この販売促進表示部７は商品模造部５と同様な立体形状であり、且つ正面の画像には凹凸により立体画像が描かれている。本実施の形態では、販売促進表示部７には飲料ボトルのキャップの画像９が描かれており、商品模造部５の画像と一体になって、キャップを外した状態を描いており、一体感のある画像になっている。
【００３５】
また、販売促進表示部７は商品模造部５の上端部５ａに連続して接続されており且つ奥側から手前に突状の立体になっている。上端部５ａから連続した傾斜部１９には、商品模造部５の上端部５ａから連続する直線画像２１が描かれており、正面から見る消費者には直線が手前に浮き出すように見え、立体感を高めている。
【００３６】
販売促進表示部７に描かれた画像には、飲料ボトルからキャップを外したときの炭酸飲料が噴出すイメージ画像であり、販売促進表示部７を立体にし且つ画像も凹凸により立体的に表示しているので、画像が浮き出して見え、その意外性による販売促進効果を高めることができる。
【００３７】
次に、本実施の形態にかかる作用効果を説明する。本実施の形態にかかる商品模型１には商品模造部５と販売促進表示部７とを一体に設けているので、特定商品に対する販売促進表示部の付け忘れや、誤って他の商品模型に付け違えることを防止できる。
【００３８】
また、商品模造部５と販売促進表示部７とが一体なので、それぞれ別々に取り付ける必要がなく、２つのものを一回で取り付けできるので、自動販売促機３に対する陳列作業が容易にできる。
【００３９】
しかも、商品模造部５と販売促進表示部７とは、樹脂材により一体成形としているので、金型による製造が容易であり且つ安価に製造できる。また、一つの成形品であるから、従来のように商品模造部５と販売促進表示部７とを別の成形品としている場合に比較して製造コストが安価である。
【００４０】
販売促進表示部７を立体形状としているので、従来の平面的な表示に比較して人目を引きやすく、且つ立体的な商品模造部５との釣り合いが取れて外観が良い。更に、販売促進表示部７は凹凸により表示画像も立体にしているので、その意外性から人目を引きやすく、しかも、販売促進表示部７は商品模造部５と連続した一体のデザインを形成しているので、調和の取れたデザインを構成することができる。
【００４１】
立体的に構成した販売促進表示部に直接画像を描くことにより立体形状におけるバランスが取れ、デザイン的な外観を高めることができる。
【００４２】
なお、本考案は上述した実施の形態に限定されず、その要旨を逸脱しない範囲で種々の変形が可能である。
【００４３】
例えば、商品模造部５と販売促進表示部７との画像は上述した実施の形態に限定されず、任意のものを描くことできる。
【００４４】
また、販売促進表示部７に更にリボンや紐状のものを取り付けるものであってもよい。
【図面の簡単な説明】
【００４５】
【図１】本実施の形態に係る商品模型の斜視図である。
【図２】図１に示す商品模型の正面図である。
【図３】図１に示す商品模型の側面図である。
【図４】図１に示す商品模型の縦断面図である。
【図５】図１に示す商品模型を陳列した自動販売機の正面図である。
【符号の説明】
【００４６】
１      商品模型
３      自動販売機
５      商品模造部
７      販売促進表示部
９      キャップの画像
１３    係止部
１５    係止部
【図１】
0003103577.tif 000003
【図２】
0003103577.tif 000004
【図３】
0003103577.tif 000005
【図４】
0003103577.tif 000006
【図５】
0003103577.tif 000007
【手続補正書】
【提出日】平成16年4月7日(2004.4.7)
【手続補正１】
【補正対象書類名】実用新案登録請求の範囲
【補正対象項目名】全文
【補正方法】変更
【補正の内容】
【実用新案登録請求の範囲】
【請求項１】
自動販売機に装着されて販売する商品を表示する商品模型であって、商品模造部と、販売促進表示部とを備え、商品模造部は飲料用ボトル又は缶の模造であり、販売促進表示部は商品模造部の上部に設けて瓶又は缶の封を開けた状態を模っており、商品模造部と販売促進表示部とを一体に設けていることを特徴とする商品模型。
【請求項２】
商品模造部は商品の略半分を模っており且つ販売促進表示部と同じ材質の樹脂製であり、金型で一体成形されていることを特徴とする請求項１に記載の商品模型。
【請求項３】
販売促進表示部は立体形状を成していることを特徴とする請求項２に記載の商品模型。
【請求項４】
販売促進表示部は凹凸により画像を立体化していることを特徴とする請求項３に記載の商品模型。
【請求項５】
販売促進表示部の画像には商品模造部から上方に向けた多数の直線を描いていることを特徴とする請求項４に記載の商品模型。
【請求項６】
商品模造部の上端部に画像が描かれており、販売促進表示部の画像は、商品模造部の上端部の画像に連続した画像を形成していることを特徴とする請求項５に記載の商品模型。
【請求項７】
商品模造部は炭酸飲料を充填したボトルのキャップを外した状態を模っており、販売促進用表示部はボトルから外したキャップと噴出した炭酸の画像を描いていることを特徴とする請求項６に記載の商品模型。
【請求項８】
商品模造部には左右と下部とにそれぞれ陳列用の係止部を備えることを特徴とする請求項７に記載の商品模型。
【請求項９】
請求項１〜８に記載の商品模型を陳列していることを特徴とする自動販売機。
【手続補正２】
【補正対象書類名】明細書
【補正対象項目名】全文
【補正方法】変更
【補正の内容】
【考案の詳細な説明】
【技術分野】
【０００１】
本考案は、自動販売機に陳列する商品模型及びその商品模型を陳列した自動販売機に関する。
【背景技術】
【０００２】
特許文献１には、自動販売機に飲料等の商品模型を陳列することが開示されている。また、特許文献２には、商品の略半分を模って立体形状を成す樹脂製の商品模型が開示されている。
【０００３】
一方、商品の販売を促進するために商品模型とともにその商品模型に販売促進用の表示を施すことがある。従来、かかる販売促進表示は商品模型とは別に自動販売機の陳列棚に取り付けていた。
【０００４】
【特許文献１】実開平１−１０２９７６号公報
【特許文献２】特開２００１−２８３３１０号公報
【考案の開示】
【考案が解決しようとする課題】
【０００５】
しかし、販売促進表示は、他の商品とは差別して特定の商品模型に取り付けて表示するものであるが、従来は販売促進表示を商品模型とは別に設けていたので、それぞれ別に取り付けが必要になり陳列作業に手間がかかるという問題がある。
【０００６】
また、販売促進表示は特定の商品模型について表示をしなければならないが、表示する商品模型を間違えたり、販売促進表示の付け忘れが生じることがある。
【０００７】
本考案は、陳列作業が容易にでき且つ販売促進表示の付け忘れや付け違いを防止できる商品模型及びその商品模型を陳列した自動販売機の提供を目的とする。
【課題を解決するための手段】
【０００８】
前記課題を解決するために、請求項１に記載された考案は、自動販売機に装着されて販売する商品を表示する商品模型であって、商品模造部と、販売促進表示部とを備え、商品模造部は飲料用ボトル又は缶の模造であり、販売促進表示部は商品模造部の上部に設けて瓶又は缶の封を開けた状態を模っており、商品模造部と販売促進表示部とを一体に設けていることを特徴とする。
【０００９】
請求項２に記載された考案は、請求項１に記載の考案において、商品模造部は商品の略半分を模っており且つ販売促進表示部と同じ材質の樹脂製であり、金型で一体成形されていることを特徴とする。
【００１０】
請求項３に記載された考案は、請求項２に記載の考案において、販売促進表示部は立体形状を成していることを特徴とする。
【００１１】
請求項４に記載された考案は、請求項３に記載の考案において、販売促進表示部は凹凸により画像を立体化していることを特徴とする。
【００１２】
【００１３】
請求項５に記載された考案は、請求項４に記載の考案において、販売促進表示部の画像には商品模造部から上方に向けた多数の直線を描いていることを特徴とする。
【００１４】
請求項６に記載された考案は、請求項５に記載の考案において、商品模造部の上端部に画像が描かれており、販売促進表示部の画像は、商品模造部の上端部の画像に連続した画像を形成していることを特徴とする。
【００１５】
請求項７に記載された考案は、請求項６に記載の考案において、商品模造部は炭酸飲料を充填したボトルのキャップを外した状態を模っており、販売促進用表示部はボトルから外したキャップと噴出した炭酸の画像を描いていることを特徴とする。
【００１６】
請求項８に記載された考案は、請求項７に記載の考案において、商品模造部には左右と下部とにそれぞれ陳列用の係止部を備えることを特徴とする。
【００１７】
請求項９に記載された考案は、請求項１〜８に記載の商品模型を陳列していることを特徴とする自動販売機である。
【考案の効果】
【００１８】
請求項１に記載の考案によれば、商品模型には商品模造部と販売促進表示部とを一体に設けているので、特定商品に対する販売促進表示部の付け忘れや、誤って他の商品模型に付け違えることを防止できる。
【００１９】
また、商品模造部と販売促進表示部とが一体なので、それぞれ別々に取り付ける必要がなく、２つのものを一回で取り付けできるので、陳列作業が容易にできる。
販売促進表示部は商品模造部と連続した一体のデザインを形成しているので、調和の取れたデザインを構成することができる。
【００２０】
請求項２に記載された考案によれば、請求項１に記載された考案と同様の効果が得られるとともに、商品模型は金型による一体成形で容易に製造できる。
【００２１】
請求項３に記載された考案によれば、請求項２に記載された考案と同様の効果が得られるとともに、販売促進表示部を立体形状としているので、従来の平面的な表示に比較して人目を引きやすく、且つ立体的な商品模造部との釣り合いが取れて外観が良い。
【００２２】
請求項４に記載された考案によれば、請求項３に記載された考案と同様の効果が得られるとともに、販売促進表示部は表示画像も立体にしているので、その意外性から人目を引きやすい。
【００２３】
【００２４】
請求項５に記載された考案によれば、請求項４に記載された考案と同様の効果が得られるとともに、商品模造部から上方に向けた多数の直線を描くことにより商品模造部と販売促進表示部との立体形状におけるバランスが取れ、外観を高めることができる。
【００２５】
請求項６に記載された考案によれば、請求項５に記載された考案と同様の効果が得られるとともに、商品模型を上から見たときにも商品模造部と販売促進表示部との一体性を得ることができる。
【００２６】
請求項７に記載された考案によれば、請求項６に記載された考案と同様の効果が得られるとともに、商品模造部と販売促進表示部との画像における一体性が高く且つ消費者に対する意外性を更に高めることができる。
【００２７】
請求項８に記載された考案によれば、請求項７に記載された考案と同様の効果が得られるとともに、左右における取り付けや下部での取り付けが自在にでき、取り付けの自由度を高めることができる。
【００２８】
請求項９に記載された考案によれば、請求項１〜８に記載された考案と同様の効果が得られる自動販売機を提供できる。
【考案を実施するための最良の形態】
【００２９】
以下に、添付図面を参照して、本考案の実施の形態を詳細に説明する。図１は本実施の形態に係る商品模型の斜視図であり、図２は図１に示す商品模型の正面図であり、図３は図１に示す商品模型の側面図であり、図４は図１に示す商品模型の縦断面図であり、図５は図１に示す商品模型を陳列した自動販売機の正面図である。
【００３０】
本考案の実施の形態に商品模型１は飲料の商品見本として自動販売機３に陳列されるものであり、商品模造部５と販売促進表示部７とから構成されている。これらの商品模造部５と販売促進表示部７とは樹脂材製であり、金型により一体成形されている。
【００３１】
商品模造部５には、炭酸飲料入りアルミ製ボトルを模ったものであり、アルミ製ボトルの略半分を立体に模っており、キャップ９を外した画像が描かれている。
【００３２】
商品模造部５の左右には自動販売機の商品陳列棚１１に係止する鉤状の係止部１３が一体形成されているとともに、下部にも商品陳列棚１１に嵌合可能な係止部１５が形成されており、自動販売機のタイプに応じて、左右で係止したり下部で係止して取り付けできるようになっている。
【００３３】
また、商品模造部５の上端部５ａには販売促進表示部７と連続した画像１７が描かれている。
【００３４】
販売促進表示部７は、商品模造部５の上部に設けてあり且つ商品模造部５と一体に形成されている。この販売促進表示部７は商品模造部５と同様な立体形状であり、且つ正面の画像には凹凸により立体画像が描かれている。本実施の形態では、販売促進表示部７には飲料ボトルのキャップの画像９が描かれており、商品模造部５の画像と一体になって、キャップを外した状態を描いており、一体感のある画像になっている。
【００３５】
また、販売促進表示部７は商品模造部５の上端部５ａに連続して接続されており且つ奥側から手前に突状の立体になっている。上端部５ａから連続した傾斜部１９には、商品模造部５の上端部５ａから連続する直線画像２１が描かれており、正面から見る消費者には直線が手前に浮き出すように見え、立体感を高めている。
【００３６】
販売促進表示部７に描かれた画像には、飲料ボトルからキャップを外したときの炭酸飲料が噴出すイメージ画像であり、販売促進表示部７を立体にし且つ画像も凹凸により立体的に表示しているので、画像が浮き出して見え、その意外性による販売促進効果を高めることができる。
【００３７】
次に、本実施の形態にかかる作用効果を説明する。本実施の形態にかかる商品模型１には商品模造部５と販売促進表示部７とを一体に設けているので、特定商品に対する販売促進表示部の付け忘れや、誤って他の商品模型に付け違えることを防止できる。
【００３８】
また、商品模造部５と販売促進表示部７とが一体なので、それぞれ別々に取り付ける必要がなく、２つのものを一回で取り付けできるので、自動販売促機３に対する陳列作業が容易にできる。
【００３９】
しかも、商品模造部５と販売促進表示部７とは、樹脂材により一体成形としているので、金型による製造が容易であり且つ安価に製造できる。また、一つの成形品であるから、従来のように商品模造部５と販売促進表示部７とを別の成形品としている場合に比較して製造コストが安価である。
【００４０】
販売促進表示部７を立体形状としているので、従来の平面的な表示に比較して人目を引きやすく、且つ立体的な商品模造部５との釣り合いが取れて外観が良い。更に、販売促進表示部７は凹凸により表示画像も立体にしているので、その意外性から人目を引きやすく、しかも、販売促進表示部７は商品模造部５と連続した一体のデザインを形成しているので、調和の取れたデザインを構成することができる。
【００４１】
立体的に構成した販売促進表示部に直接画像を描くことにより立体形状におけるバランスが取れ、デザイン的な外観を高めることができる。
【００４２】
なお、本考案は上述した実施の形態に限定されず、その要旨を逸脱しない範囲で種々の変形が可能である。
【００４３】
例えば、商品模造部５と販売促進表示部７との画像は上述した実施の形態に限定されず、任意のものを描くことできる。
【００４４】
また、販売促進表示部７に更にリボンや紐状のものを取り付けるものであってもよい。
【図面の簡単な説明】
【００４５】
【図１】本実施の形態に係る商品模型の斜視図である。
【図２】図１に示す商品模型の正面図である。
【図３】図１に示す商品模型の側面図である。
【図４】図１に示す商品模型の縦断面図である。
【図５】図１に示す商品模型を陳列した自動販売機の正面図である。
【符号の説明】
【００４６】
１      商品模型
３      自動販売機
５      商品模造部
７      販売促進表示部
９      キャップの画像
１３    係止部
１５    係止部